(57)【要約】【課題】簡易な構造でありながら、水温を認識しやすい液温感知装置、シャワーヘッドおよび水栓装置を提供することを目的とする。【解決手段】本開示の液温感知装置は、液体の温度に応じて変色する液温感知部を外装に備える。そして、液温感知部が、第１温度で変色する第１液温感知部と、前記第１温度よりも高い第２温度で変色する第２液温感知部とを備える。また、本開示のシャワーヘッドおよび水栓装置は上記液温感知装置を備えている。【選択図】  図１
2018205056.tif 000002
【特許請求の範囲】
【請求項１】
液体の温度に応じて変色する液温感知部を外装に備え、
該液温感知部が、第１温度で変色する第１液温感知部と、前記第１温度よりも高い第２温度で変色する第２液温感知部とを備える、液温感知装置。
【請求項２】
前記第２温度よりも高い第３温度で変色する第３液温感知部をさらに備える、請求項１に記載の液温感知装置。
【請求項３】
前記第１液温感知部、前記第２液温感知部および前記第３液温感知部は、規則性を持って配置されている、請求項２に記載の液温感知装置。
【請求項４】
前記第１液温感知部、前記第２液温感知部および前記第３液温感知部は、拡径または縮径配置されている、請求項２または請求項３に記載の液温感知装置。
【請求項５】
前記第１液温感知部、前記第２液温感知部および前記第３液温感知部の少なくとも１つは、記号が表示されている、請求項２乃至請求項４のいずれかに記載の液温感知装置。
【請求項６】
請求項１乃至請求項５のいずれかに記載の液温感知装置を備える、シャワーヘッド。
【請求項７】
請求項１乃至請求項５のいずれかに記載の液温感知装置を備える、水栓装置。
【発明の詳細な説明】
【技術分野】
【０００１】
本開示は、液温感知装置、シャワーヘッドおよび水栓装置に関する。
【背景技術】
【０００２】
ガス器具などと接続して、加熱された温水が吐出されるシャワーヘッドや水栓装置などが普及しているが、加熱される前の水の温度は、外気温によって異なるものであることから、特定の温度となるまでの時間は一定ではない。そして、水温は、目視で確認することができないため、吐出する水に触れる必要があるが、特定の温度に達する前に触れた場合には冷たく、身体に浴びた場合には心臓麻痺を起こすおそれがある。また、特定の温度とするための調整を誤り、高温となる調整をしていた場合には、触れることによって火傷を負うおそれがある。このようなことに鑑み、吐出される水に直接触れずとも温度を検知できる部材の検討がなされている。
【０００３】
特許文献１には、熱変色性顔料を組み合わせることで、複数の温度領域に応じてそれぞれ所望の色を呈する可逆感温多色変色性組成物について記載されている。また、特許文献２には、水に直接触れることなく水温の変化を視認するため、シャワーヘッドに水温の高低に応じて色が変わる感温変色体を内蔵することが記載されている。
【先行技術文献】
【特許文献】
【０００４】
【特許文献１】特開２０００−０８０３５９号公報
【特許文献２】特開２００３−２０６５５５号公報
【発明の概要】
【発明が解決しようとする課題】
【０００５】
特許文献１には、一例として動物玩具が挙げられ、水温によってコブが多色に変わることが記載されているが、多色への変化は見た目に楽しめるが、色が多い場合、その色がどのような温度を示しているかを覚えることは困難となる場合がある。
【０００６】
また、特許文献２においては、感温変色体は内蔵されているものであることから、これを収納するための収容スペースが必要であるとともに、色が確認できるように透明な部材で覆う必要があることから、構造が複雑になる。
【０００７】
本開示は、簡易な構造でありながら、水温を認識しやすい液温感知装置、シャワーヘッドおよび水栓装置を提供することを目的とする。
【課題を解決するための手段】
【０００８】
本開示の液温感知装置は、液体の温度に応じて変色する液温感知部を外装に備え、該液温感知部が、第１温度で変色する第１液温感知部と、前記第１温度よりも高い第２温度で変色する第２液温感知部とを備える。
【０００９】
本開示のシャワーヘッドおよび水栓装置は、上述の液温感知装置を備えている。
【発明の効果】
【００１０】
本開示の液温感知装置およびこれを備えるシャワーヘッドならびに水栓装置は、簡易な構造でありながら、液温を認識することができる。
【図面の簡単な説明】
【００１１】
【図１】第１の実施形態に係る液温感知装置の正面図である。
【図２】第２の実施形態に係る液温感知装置の正面図である。
【図３】第３の実施形態に係る液温感知装置の正面図である。
【図４】第４の実施形態に係る液温感知装置の正面図である。
【図５】第５の実施形態に係る液温感知装置の正面図である。
【図６】シャワーヘッドの斜視図である。
【発明を実施するための形態】
【００１２】
本開示の液温感知装置について、図面を参照しながら説明する。
【００１３】
図１は、第１の実施形態に係る液温感知装置の模式図である。
【００１４】
図１に示すように、液温感知装置１は、例えば、流体部材３の内部に液体が流通する流路３ａを備えており、流体部材３の外装に、液体の温度によって変色する液温感知部５を備えている。
【００１５】
この液温感知部５は、外装と流路３ａの一部をかねていてもよい。また、液温感知部５は、流路３ａの中の液体と直接、接触してもよく、金属などの熱伝導性の高い部材を介して間接的に液体と接触してもよい。
【００１６】
液温感知部５は、液温に応じて変色する第１液温感知部５ａと第２液温感知部５ｂとを有している。第１液温感知部５ａと第２液温感知部５ｂとは、温度に応じて変色するものであり、例えば、可逆感温多色変色性組成物が挙げられる。可逆感温多色変色性組成物は、変色する温度や色の変化を種々に組み合わせることができるものであるから、その組み合わせを適宜選択することで、所望の変色温度や色の変化を有する第１液温感知部５ａと第２液温感知部５ｂを得ることができる。
【００１７】
本開示の第１液温感知部５ａは第１温度で変色し、第２液温感知部５ｂは第１温度よりも高い第２温度で変色する。すなわち、この液温感知部５では、第１温度よりも低い温度域、第１温度と第２温度の間の温度域、第２温度以上の温度域の３つの温度域を認識することができる。なお、第１液温感知部５ａおよび第２液温感知部５ｂは、変色によって外装と同じ色となってもよいし、変色によって異なる色となってもよい。また、第１液温感知部５ａと第２液温感知部５ｂとは、変色によって同じ色となってもよいし、変色によって異なる色となってもよい。
【００１８】
液温感知部が一つしかない場合、液温感知部を観察し続けるか、液温感知部の色を記憶していなければ、液温の変化を知ることはできないが、本開示においては、第１液温感知部５ａと第２液温感知部５ｂというように、２つの液温感知部５を備えていることから、簡易な構造でありながらも、使用者に３つの温度領域を認識させることができる。
【００１９】
例えば、第１温度が３８℃の第１液温感知部５ａと、第２温度が４３℃の第２液温感知部５ｂの組み合わせとした場合には、液温感知装置１は、３８℃未満の温度域、３８℃以上４３℃未満の温度域、４３℃以上の温度域の３つの温度領域を使用者に認識させることができる。
【００２０】
第１温度と第２温度との温度の間隔は、必要に応じて変化させればよく、例えば、５℃としてもよく、１０℃としてもよい。
【００２１】
本開示によれば、異なる位置に配置された第１液温感知部５ａと第２液温感知部５ｂを
備えることから、色の変化に加えて、どの位置の色が変わったのかという位置情報によっても液温を認識することができる。
【００２２】
図１に示す第１の実施形態では、第１液温感知部５ａの上に第２液温感知部５ｂを配置している。このような形態であれば、使用者から見て下側の第１液温感知部５ａの色が変わったのか、上側の第２液温感知部５ｂの色が変わったのか、というように色のみならず位置情報によっても液温を認識することができる。
【００２３】
また、液体の流れと、第１液温感知部５ａおよび第２液温感知部５ｂの配置は合わせた方がよく、具体的には、第１液温感知部５ａを液体の流れの上流、第２液温感知部５ｂを液体の流れの下流に配置するとよい。
【００２４】
また、図２に示す第２の実施形態のように、さらに第２液温感知部５ｂの第２温度よりも高い第３温度で変色する第３液温感知部５ｃを備えていてもよい。異なる温度で変色する液温感知部５の数が増えると、より多くの温度領域を感知、表示することができ、繊細な判断の助けになる。なお、図１では、液温感知部同士の位置関係を上下としたが、図２のように水平方向に隣り合うように並べてもよい。
【００２５】
図２に示すように、第１液温感知部５ａ、第２液温感知部５ｂおよび第３液温感知部５ｃを順番に並ぶように、規則性を持って配置すると、色と位置の２つの情報を視覚から得ることができるため、視認性が上がる。
【００２６】
また、図３に示す第３の実施形態のように、第１液温感知部５ａ、第２液温感知部５ｂおよび第３液温感知部５ｃが拡径配置されていてもよい。ここで拡径配置とは、径の小さい例えば図３に示すように、小さい円と、小さい円を囲むように位置する中型の環と、中型の環を囲むように位置する大型の環などの配置のことである。大型の環を第１液温感知部５ａ、中型の環を第２液温感知部５ｂ、小円を第３液温感知部５ｃとすれば、この配置は縮径配置である。このように、規則性を持った配置によれば、色と位置の２つの情報を視覚から得ることができるため、視認性が上がる。
【００２７】
また、図４に示す第４の実施形態のように、第１液温感知部、第２液温感知部および第３液温感知部を環状に規則的に配置すると、いわゆる、メーターなどの計器に接するような感覚で、液温を認識することができる。
【００２８】
図５に示す第５の実施形態のように、液温感知部５に記号が表示されていてもよい。なお、記号には、文字を含む。記号として例えば、温度に関連する文字である冷、温、熱を表示しておくと、色の変化に加えて、液温感知部５と温度の関係を直接読みとることができる。
【００２９】
特に、漢字ではなく、わかりやすい記号などで表示しておけば、子供や、特定の文字を理解できない場合であっても、認識しやすくなる。
【００３０】
以上、説明した本開示の液温感知装置１は、さらに多くの液温感知部５を有していてもよい。複数の液温感知部５の配置は、ランダムとなっていてもよく、全体として、模様やキャラクターを表示するものとなっていてもよい。また、色の変化は、低い温度で水色とし、高い温度で赤色とするなどして、液温を連想させるものとしてもよい。
【００３１】
図６に示すように、以上説明した本開示の液温感知装置１をシャワーヘッド８に用いてもよい。シャワーヘッド８の液温感知部５には、吐出口７（図示せず）が設けられている。また、吐出口７側と、吐出口７と逆側の面に液温感知部５を設けてもよい。このような配置とすると、視認性が高くなる。
【００３２】
また、シャワーヘッド８の持ち手部分に、水が流れる流路を取り囲むように、水の供給元側から、第１液温感知部５ａ、第２液温感知部５ｂの順に配置すると視認性に優れ、液温を認識しやすくなる。
【００３３】
また、本開示の液温感知装置１を水道の水栓に用いてもよい。
【００３４】
本発明は前述した実施形態に限定されるものではなく、本発明の要旨を逸脱しない範囲において種々の変更、改良、組合せ等が可能である。
【符号の説明】
【００３５】
１    ：液温感知装置
３    ：流体部材
３ａ  ：流路
５    ：液温感知部
５ａ  ：第１液温感知部
５ｂ  ：第２液温感知部
５ｃ  ：第３液温感知部
８    ：シャワーヘッド
【図１】
2018205056.tif 000003
【図２】
2018205056.tif 000004
【図３】
2018205056.tif 000005
【図４】
2018205056.tif 000006
【図５】
2018205056.tif 000007
【図６】
2018205056.tif 000008